【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
複数の絞り羽根が少なくとも回転して絞り開口の面積を変化させることが可能に構成され、
個々の前記絞り羽根が、前記絞り開口の外縁を形成する側の縁部である内縁部の一部においてＲの向きが逆転した形状部分を有している
絞りユニット。
【請求項２】
前記Ｒの向きが逆転した形状部分の一部は、開放絞り径から所定の小絞り径までの各絞り径とそれぞれ同径とされた複数の円弧を結ぶ包絡線によって形成されている
請求項１に記載の絞りユニット。
【請求項３】
前記内縁部における最小絞り時の前記絞り開口の形成に使用される部分が、当該内縁部を有する前記絞り羽根の回転軸を中心とし当該回転軸から前記絞り開口の中心までの距離と等しい半径を有する円弧上に中心を持つ円弧の一部で形成されている
請求項１又は請求項２に記載の絞りユニット。
【請求項４】
前記絞り羽根の枚数をｍとし、
最小絞り時の前記絞り開口と同じ径を有する円弧を最小絞り径に相当する円弧とし、
前記最小絞り径に相当する円弧よりも大径であって前記最小絞り径に相当する円弧に対して所定の円径比を有する円弧を所定の小絞り径に相当する円弧としたときに、
前記内縁部における最小絞り時の前記絞り開口の形成に使用される部分が、
前記最小絞り径に相当する円弧と前記所定の小絞り径に相当する円弧とを
・前記最小絞り径に相当する円弧と前記所定の小絞り径に相当する円弧の中心が当該内縁部を有する前記絞り羽根の回転軸を中心とし当該回転軸から前記絞り開口の中心までの距離と等しい半径を有する円弧上にある
・前記最小絞り径に相当する円弧と前記所定の小絞り径に相当する円弧が二つの交点で交わる
・前記二つの交点間に形成される前記所定の小絞り径に相当する円弧の劣弧の中心角がπ／ｍ、前記二つの交点間に形成される前記最小絞り径に相当する円弧の劣弧の中心角が２π／ｍとなる
との条件とを満たすように配置したときの前記所定の小絞り径に相当する円弧の前記劣弧によって形成されている
請求項１乃至請求項３の何れかに記載の絞りユニット。
【請求項５】
最小絞り時の前記絞り開口と同じ径を有する円弧を最小絞り径に相当する円弧とし、
開放絞り時の前記絞り開口と同じ径を有する円弧を開放絞り径に相当する円弧とし、
前記最小絞り径に相当する円弧よりも大径であって前記最小絞り径に相当する円弧に対して所定の円径比を有する円弧を所定の小絞り径に相当する円弧としたときに、
前記内縁部における前記最小絞り時の前記絞り開口の形成に使用される部分は、当該内縁部を有する前記絞り羽根の回転軸を中心とし当該回転軸から前記絞り開口の中心までの距離と等しい半径を有する円弧上に中心を持つ前記所定の小絞り径に相当する円弧の一部で形成され、
前記内縁部における前記所定の小絞り径に相当する円弧で形成された部分よりも前記回転軸側の部分の形状は、
前記所定の小絞り径に相当する円弧が前記開放絞り径に相当する円弧の同心円であって前記開放絞り径に相当する円弧との径差が所定値以下とされた同心円に内接するとの条件に従って配列された前記開放絞り径に相当する円弧から前記所定の小絞り径に相当する円弧までの各円弧を結んだ形状とされている
請求項１乃至請求項４の何れかに記載の絞りユニット。
【請求項６】
前記開放絞り径に相当する円弧よりも大径とされその中心が前記絞り開口の中心に一致するように配置された円弧を開放径保証円弧とし、
前記開放絞り径に相当する円弧と同じ径を有し前記所定の小絞り径に相当する円弧と正接する円弧を羽根切れ防止用円弧とし、
前記開放絞り径に相当する円弧と前記開放径保証円弧との交点のうち前記回転軸側に位置する交点を第一交点とし、
前記回転軸とは逆側である先端側に隣接する前記絞り羽根についての前記開放径保証円弧と前記羽根切れ防止用円弧との交点のうち前記先端側に位置する交点を第二交点としたときに、
前記内縁部における前記所定の小絞り径に相当する円弧で形成された部分よりも先端側の部分の形状が前記羽根切れ防止用円弧の一部で形成され、
前記内縁部における前記羽根切れ防止用円弧の一部で形成された部分の長さが、前記第一交点と前記羽根切れ防止用円弧の中心とを結んだ直線と前記第二交点と前記羽根切れ防止用円弧の中心とを結んだ直線とがなす角度が２π／ｍ以上となるとの条件を満たすように設定されている
請求項５に記載の絞りユニット。
【請求項７】
複数の絞り羽根が少なくとも回転して絞り開口の面積を変化させることが可能に構成され、個々の前記絞り羽根が、前記絞り開口の形状の一部を形成する側の縁部である内縁部の一部においてＲの向きが逆転した形状部分を有している絞りユニットと、
前記絞りユニットの前記絞り開口に対して被写体光を導く撮像レンズとを備える
レンズ装置。
【請求項８】
複数の絞り羽根が少なくとも回転して絞り開口の面積を変化させることが可能に構成され、個々の前記絞り羽根が、前記絞り開口の形状の一部を形成する側の縁部である内縁部の一部においてＲの向きが逆転した形状部分を有している絞りユニットと、
前記絞りユニットの前記絞り開口に対して被写体光を導く撮像レンズと、
前記絞り開口を介して入射された前記被写体光を受光して撮像信号を得る撮像素子とを備える
撮像装置。
【手続補正２】
【補正対象書類名】明細書
【補正対象項目名】００２５
【補正方法】変更
【補正の内容】
【００２５】
絞り羽根７，７，・・・は、正面側に回転軸７ａ，７ａ，・・・が形成され、背面側に駆動軸７ｂ，７ｂ，・・・が形成されている。
絞り羽根７，７，・・・は、回転軸７ａ，７ａ，・・・が動輪３の回転軸挿入口３ａ，３ａ，・・・に回転可能に勘合され、駆動軸７ｂ，７ｂ，・・・が羽根押え６のカム溝６ａ，６ａ，・・・に摺動可能に勘合され、動輪３と羽根押え６との間（羽根室）でスラスト方向に適切なガタを持ちながら保持されている。
【手続補正３】
【補正対象書類名】明細書
【補正対象項目名】００６４
【補正方法】変更
【補正の内容】
【００６４】
さらにまた、本実施の形態では、絞り羽根７の枚数をｍとし、最小絞り時の絞り開口１ａと同じ径を有する円弧を最小絞り径に相当する円弧Ａｓｍとし、最小絞り径に相当する円弧Ａｓｍよりも大径であって最小絞り径に相当する円弧Ａｓｍに対して所定の円径比を有する円弧を所定の小絞り径に相当する円弧Ａｒｍとしたときに、内縁部７ｃにおける最小絞り時の絞り開口１ａの形成に使用される部分が、最小絞り径に相当する円弧Ａｓｍと所定の小絞り径に相当する円弧Ａｒｍとを以下の条件を満たすように配置したときの所定の小絞り径に相当する円弧Ａｒｍの劣弧によって形成されている。
・最小絞り径に相当する円弧Ａｓｍと所定の小絞り径に相当する円弧Ａｒｍの中心が当該内縁部７ｃを有する絞り羽根７の回転軸７ａを中心とし当該回転軸７ａから絞り開口１ａの中心Ｏｃまでの距離と等しい半径を有する円弧Ａｒｒ上にある
・最小絞り径に相当する円弧Ａｓｍと所定の小絞り径に相当する円弧Ａｒｍが二つの交点ｃ１，ｃ２で交わる
・二つの交点ｃ１，ｃ２間に形成される所定の小絞り径に相当する円弧Ａｒｍの劣弧の中心角がπ／ｍ、二つの交点ｃ１，ｃ２間に形成される最小絞り径に相当する円弧Ａｓｍの劣弧の中心角が２π／ｍとなる
これにより、最小絞り時の絞り開口１ａは、各絞り羽根７における所定の小絞り径に相当する円弧Ａｒｍの劣弧で形成された部分のみを組み合わせて形成される。
最小絞り時に使用される部分が最小絞り径に応じた小径の円弧で形成されることで、最小絞り時における円径比を高めることができる。